(57)【要約】【課題】間欠受信機能を持たない無線アクセス方式を用いた無線ネットワークにおいて、セルラーネットワークにおけるページング機構を利用し、移動端末が無線ネットワークと無線リンクを確立できない場合でも、セッションを開始できるようにすること。【解決手段】本発明は、間欠受信機能を持たない無線アクセス方式を用いた無線ネットワーク１０１において、セルラーネットワーク１００におけるページング機構を利用し、移動端末１０５が無線ネットワーク１０１と無線リンクを確立できない場合に、セルラーネットワーク１００のセルラーネットワークＩＰ電話ゲートウェイ１８０が、移動端末１５０のセルラー加入者番号を用いて、移動端末１５０とのセッションを開始するようにしたものである。【選択図】      図１
2004253961.tif 000002
【特許請求の範囲】
【請求項１】
ページング機能を持たない無線システムを用いた無線ネットワーク上に配置され、前記無線ネットワークおよびセルラー無線を用いたセルラーネットワークを用いた通信を行う移動端末の位置情報を管理する位置管理サーバであって、
前記セルラーネットワークを用いて前記移動端末をページングする機能を持つ端末管理サーバに対して、前記位置情報を用いて前記移動端末のページングを要求するページング要求手段と、前記端末管理サーバから送られてきた前記移動端末が前記無線ネットワークとの無線リンク確立に失敗したことを示す登録失敗情報を受信する登録失敗情報受信手段と、前記移動端末の位置情報を要求している呼制御サーバに対して前記登録失敗情報を通知する登録失敗情報送信手段と、前記呼制御サーバに対して前記移動端末のセルラー加入者番号を通知する加入者番号通知手段と、を具備したことを特徴とする位置管理サーバ。
【請求項２】
ページング機能を持つセルラー無線を用いたセルラーネットワーク上に配置され、前記セルラーネットワークにおいて、ページング機能を持たない無線システムを用いた無線ネットワークおよび前記セルラーネットワークを用いた通信を行う移動端末の管理を行う端末管理サーバであって、
前記無線ネットワーク上に配置された前記移動端末の位置情報を管理する位置管理サーバから、前記移動端末をページングする要求を受信し、前記セルラーネットワークを用いて前記移動端末をページングするページング処理手段と、前記移動端末が前記無線ネットワークとの無線リンク確立に失敗した場合に前記移動端末が送信する登録失敗情報を受信する登録失敗情報受信手段と、前記登録失敗情報を前記位置管理サーバに通知する登録失敗情報通知手段と、を具備したことを特徴とする端末管理サーバ。
【請求項３】
ページング機能を持たない無線システムを用いた無線ネットワークとページング機能を持つセルラー無線を用いたセルラーネットワークの両方の無線インタフェースを備える移動端末であって、
前記セルラーネットワーク上において前記移動端末を管理する端末管理サーバから送られてきたページング要求を受信するページング受信手段と、前記ページング要求を受信した際に、前記無線ネットワークと無線チャネルを接続する無線接続手段と、前記無線接続手段が前記無線ネットワークとの無線リンク確立に失敗した場合に登録失敗情報を前記端末管理サーバに送信する登録失敗情報送信手段と、を具備したことを特徴とする移動端末。
【請求項４】
ページング機能を持たない無線システムを用いた無線ネットワーク上に配置され、前記無線ネットワークおよびセルラー無線を用いたセルラーネットワークを用いた通信を行う移動端末との通信を行う通信開始端末からの発呼要求に対して、前記移動端末とのセッションを確立する呼制御サーバであって、
前記移動端末とのセッションを開始するために前記通信開始端末から送られてきた発呼要求に対して、前記移動端末の位置情報を管理する位置情報管理サーバに前記移動端末の位置情報の問合せを行うアドレス解決手段と、前記移動端末から送られてきた前記無線ネットワークとの無線リンク確立に失敗したことを示す登録失敗情報を受信した場合に、前記移動端末のセルラー加入者番号を受信する加入者番号受信手段と、前記セルラー加入者番号に基づき前記セルラーネットワークに対してセッションの開始を要求するセルラー発呼手段と、を具備したことを特徴とする呼制御サーバ。
【請求項５】
前記登録失敗情報を受信した場合に、前記通信開始端末に対して、前記移動端末が前記無線ネットワークを使用せず、前記セルラーネットワーク経由の通信を行うことを通知し、その許可を問合せる通信路変更問合せ手段と、前記問合せに対して前記通信開始端末から送られてくる応答を受信する通信路変更応答受信手段と、を具備したことを特徴とする請求項４記載の呼制御サーバ。
【請求項６】
ページング機能を持たない無線システムを用いた無線ネットワーク上に配置され、前記無線ネットワークおよびセルラー無線を用いたセルラーネットワークを用いた通信を行う移動端末に対してセッションを開始するために前記移動端末と前記無線ネットワークにおける呼処理を実現する呼制御サーバに発呼する通信開始端末であって、
前記呼制御サーバに対して前記移動端末への発呼要求を送信するセッション開始手段と、前記呼制御サーバから送られてきた通信路変更の問合せを受信する通信路変更受信手段と、前記通信路変更の問合せの内容に応じて応答を判断する応答判断手段と、前記応答判断手段の判断の結果を前記呼制御サーバに送信する通信路変更送信手段と、を具備したことを特徴とする通信開始端末。
【請求項７】
請求項１記載の位置管理サーバと、請求項２記載の端末管理サーバと、請求項３記載の移動端末と、請求項４または請求項５記載の呼制御サーバと、請求項６記載の通信開始端末と、を具備したことを特徴とする移動通信システム。
【請求項８】
ページング機能を持たない無線システムを用いた無線ネットワーク上に配置され、前記無線ネットワークおよびセルラー無線を用いたセルラーネットワークを用いた通信を行う移動端末の位置情報を管理する位置管理サーバにおける前記移動端末の加入者番号通知方法であって、
前記セルラーネットワークを用いて前記移動端末をページングする機能を持つ端末管理サーバに対して、前記位置情報を用いて前記移動端末のページングを要求するステップと、前記端末管理サーバから送られてきた前記移動端末が前記無線ネットワークとの無線リンク確立に失敗したことを示す登録失敗情報を受信するステップと、前記移動端末の位置情報を要求している呼制御サーバに対して前記登録失敗情報を通知するステップと、前記呼制御サーバに対して前記移動端末のセルラー加入者番号を通知するステップと、を具備したことを特徴とする加入者番号通知方法。
【請求項９】
ページング機能を持つセルラー無線を用いたセルラーネットワーク上に配置され、前記セルラーネットワークにおいて、ページング機能を持たない無線システムを用いた無線ネットワークおよび前記セルラーネットワークを用いた通信を行う移動端末の管理を行う端末管理サーバにおける登録失敗通知方法であって、
前記無線ネットワーク上に配置された前記移動端末の位置情報を管理する位置管理サーバから、前記移動端末をページングする要求を受信し、前記セルラーネットワークを用いて前記移動端末をページングするステップと、前記移動端末が前記無線ネットワークとの無線リンク確立に失敗した場合に前記移動端末が送信する登録失敗情報を受信するステップと、前記登録失敗情報を前記位置管理サーバに通知するステップと、を具備したことを特徴とする登録失敗通知方法。
【請求項１０】
ページング機能を持たない無線システムを用いた無線ネットワークとページング機能を持つセルラー無線を用いたセルラーネットワークの両方の無線インタフェースを備える移動端末におけるに登録失敗通知方法であって、
前記セルラーネットワーク上において前記移動端末を管理する端末管理サーバから送られてきたページング要求を受信するステップと、前記ページング要求を受信した際に、前記無線ネットワークと無線チャネルを接続するステップと、前記無線接続手段が前記無線ネットワークとの無線リンク確立に失敗した場合に登録失敗情報を前記端末管理サーバに送信するステップと、を具備したことを特徴とする登録失敗通知方法。
【請求項１１】
ページング機能を持たない無線システムを用いた無線ネットワーク上に配置され、前記無線ネットワークおよびセルラー無線を用いたセルラーネットワークを用いた通信を行う移動端末との通信を行う通信開始端末からの発呼要求に対して、前記移動端末とのセッションを確立する呼制御サーバにおけるセッション開始要求方法であって、
前記移動端末とのセッションを開始するために前記通信開始端末から送られてきた発呼要求に対して、前記移動端末の位置情報を管理する位置情報管理サーバに前記移動端末の位置情報の問合せを行うステップと、前記移動端末から送られてきた前記無線ネットワークとの無線リンク確立に失敗したことを示す登録失敗情報を受信した場合に、前記移動端末のセルラー加入者番号を受信するステップと、前記セルラー加入者番号に基づき前記セルラーネットワークに対してセッションの開始を要求するステップと、を具備したことを特徴とするセッション開始要求方法。
【請求項１２】
ページング機能を持たない無線システムを用いた無線ネットワーク上に配置され、前記無線ネットワークおよびセルラー無線を用いたセルラーネットワークを用いた通信を行う移動端末に対してセッションを開始するために前記移動端末と前記無線ネットワークにおける呼処理を実現する呼制御サーバに発呼する通信開始端末における通信路変更方法であって、
前記呼制御サーバに対して前記移動端末への発呼要求を送信するステップと、前記呼制御サーバから送られてきた通信路変更の問合せを受信するステップと、前記通信路変更の問合せの内容に応じて応答を判断するステップと、前記応答判断手段の判断の結果を前記呼制御サーバに送信するステップと、を具備したことを特徴とする通信路変更方法。
【請求項１３】
ページング機能を持たない無線システムを用いた無線ネットワーク上に配置されたコンピュータに、前記無線ネットワークおよびセルラー無線を用いたセルラーネットワークを用いた通信を行う移動端末に対して前記セルラーネットワークを用いてページングする機能を持つ端末管理サーバに対して、前記移動端末の位置情報を用いたページングを要求するステップと、前記端末管理サーバから送られてきた前記移動端末が前記無線ネットワークとの無線リンク確立に失敗したことを示す登録失敗情報を受信するステップと、前記移動端末の位置情報を要求している呼制御サーバに対して前記登録失敗情報を通知するステップと、前記呼制御サーバに対して前記移動端末のセルラー加入者番号を通知するステップと、を行わせることを特徴とするプログラム。
【請求項１４】
ページング機能を持つセルラー無線を用いたセルラーネットワーク上に配置されたコンピュータに、ページング機能を持たない無線システムを用いた無線ネットワーク上に配置された前記移動端末の位置情報を管理する位置管理サーバから、無線ネットワークおよび前記セルラーネットワークを用いた通信を行う移動端末をページングする要求を受信するステップと、前記セルラーネットワークを用いて前記移動端末をページングするステップと、前記移動端末が前記無線ネットワークとの無線リンク確立に失敗した場合に前記移動端末が送信する登録失敗情報を受信するステップと、前記登録失敗情報を前記位置管理サーバに通知するステップと、を行わせることを特徴とするプログラム。
【請求項１５】
ページング機能を持たない無線システムを用いた無線ネットワークとページング機能を持つセルラー無線を用いたセルラーネットワークの両方の無線インタフェースを備える移動端末に設けられたコンピュータに、前記セルラーネットワーク上において前記移動端末を管理する端末管理サーバから送られてきたページング要求を受信するステップと、前記ページング要求を受信した際に、前記無線ネットワークと無線チャネルを接続するステップと、前記無線接続手段が前記無線ネットワークとの無線リンク確立に失敗した場合に登録失敗情報を前記端末管理サーバに送信するステップと、を行わせることを特徴とするプログラム。
【請求項１６】
ページング機能を持たない無線システムを用いた無線ネットワーク上に配置されたコンピュータに、前記無線ネットワークおよびセルラー無線を用いたセルラーネットワークを用いた通信を行う移動端末とのセッションを開始をしようとする通信開始端末から送られてきた発呼要求に対して、前記移動端末の位置情報を管理する位置情報管理サーバに前記移動端末の位置情報の問合せを行うステップと、前記移動端末から送られてきた前記無線ネットワークとの無線リンク確立に失敗したことを示す登録失敗情報を受信した場合に、前記移動端末のセルラー加入者番号を受信するステップと、前記セルラー加入者番号に基づき前記セルラーネットワークに対してセッションの開始を要求するステップと、を行わせることを特徴とするプログラム。
【請求項１７】
ページング機能を持たない無線システムを用いた無線ネットワーク上に配置されたコンピュータに、前記無線ネットワークおよびセルラー無線を用いたセルラーネットワークを用いた通信を行う移動端末と前記無線ネットワークにおける呼処理を実現する呼制御サーバに対して前記無線ネットワークおよびセルラー無線を用いたセルラーネットワークを用いた通信を行う移動端末への発呼要求を送信するステップと、前記呼制御サーバから送られてきた通信路変更の問合せを受信するステップと、前記通信路変更の問合せの内容に応じて応答を判断するステップと、前記応答判断手段の判断の結果を前記呼制御サーバに送信するステップと、を行わせることを特徴とするプログラム。
【請求項１８】
請求項１３から請求項１７のいずれかに記載のプログラムを格納したコンピュータ読み取り可能な記憶媒体。
【発明の詳細な説明】
【０００１】
【発明の属する技術分野】
本発明は、ページング機能を持たない無線システムを用いた無線ネットワーク上において移動端末に対してセッションを確立する呼制御サーバ、および移動通信システムに関する。
【０００２】
【従来の技術】
近年、例えばＩＥＥＥ８０２．１１などの無線方式を用いた無線ＬＡＮシステムによる公衆無線ＬＡＮサービスが行われるようになってきており（例えば、非特許文献１）、無線によるインターネットアクセス環境が普及しつつある。このような公衆無線ＬＡＮサービスにおける通信サービスは、Ｗｅｂを用いたホームページ閲覧などのように、端末が主体的にインターネット内に存在するサーバ群にアクセスするものであった。
【０００３】
また、一方では、ＩＰ電話やプッシュ型サービスに代表されるような、端末に対してサーバ群がアクセスする形態のインターネットサービスが実現されるようになっている。
【０００４】
無線ＬＡＮシステムにおいて、端末は無線チャネルを常に接続した状態か、もしくは無線チャネルを完全に切断して無線インタフェースの電源をオフにした状態しか取ることができない。
【０００５】
しかし、無線チャネルを常に接続した状態にしておくと、電力を消耗することになる。よって、端末に携帯型の移動端末を採用した場合には、バッテリーの持続時間を延ばすために、移動端末は定常的に通信を行っていない間、無線インタフェースの電源をオフするようにしている。つまり、このような移動端末に対してサーバ群がアクセスを行う場合には、移動端末が通信中でない限り、移動端末の通信チャネルが接続できない。
【０００６】
以上のように、間欠受信機能を持たない無線アクセス方式を用いている無線ＬＡＮシステムにおいて、サーバ群は移動端末に対して呼出し処理、すなわちページングを行うことができないという問題がある。
【０００７】
そこで、移動端末に対するページング機能がない無線ネットワークシステムにおいて、セルラー無線を用いたセルラーネットワークにおけるページング機構を利用して、移動端末のページングを実現するということが考えられる。この技術により、休止状態の無線インタフェースをオンにし、無線ＬＡＮシステムにアクセスすることが可能になる。
【０００８】
【非特許文献１】
ＡＮＳＩ／ＩＥＥＥ  Ｓｔｄ  ８０２．１１，  １９９９  Ｅｄｉｔｉｏｎ
【０００９】
【発明が解決しようとする課題】
ここで、無線ＬＡＮシステムの通信可能範囲について考えてみる。無線ＬＡＮシステムは主に屋内で使用されることが多く、屋外では公衆無線ＬＡＮが存在する場所以外では無線ＬＡＮシステムを利用することができない。
【００１０】
一方、セルラーネットワークでは屋外、屋内を問わず、ほとんどの場所で通信が可能である。そのため、移動端末の存在する場所に依り、セルラーネットワークでは通信可能範囲内であるが、無線ＬＡＮシステムでは通信範囲外となることが考えられる。
【００１１】
これに加え、無線ＬＡＮシステムを流れるデータのトラヒック量が多かったり、電波雑音の影響などにより、無線ＬＡＮシステムと無線リンクを確立できない場合が考えられる。
【００１２】
しかし、上述の技術を用いて移動端末に対してページングを行う際、移動端末が無線ＬＡＮシステムと無線リンクを確立できない場合は、セッションを開始することができない。
【００１３】
本発明は、このような問題に鑑みてなされたものであり、間欠受信機能を持たない無線アクセス方式を用いた無線ネットワークにおいて、セルラーネットワークにおけるページング機構を利用し、移動端末が無線ネットワークと無線リンクを確立できない場合でも、セッションを開始できるようにすることを目的とする。
【００１４】
【課題を解決するための手段】
本発明の位置管理サーバは、ページング機能を持たない無線システムを用いた無線ネットワーク上に配置され、前記無線ネットワークおよびセルラー無線を用いたセルラーネットワークを用いた通信を行う移動端末の位置情報を管理する位置管理サーバであって、前記セルラーネットワークを用いて前記移動端末をページングする機能を持つ端末管理サーバに対して、前記位置情報を用いて前記移動端末のページングを要求するページング要求手段と、前記端末管理サーバから送られてきた前記移動端末が前記無線ネットワークとの無線リンク確立に失敗したことを示す登録失敗情報を受信する登録失敗情報受信手段と、前記移動端末の位置情報を要求している呼制御サーバに対して前記登録失敗情報を通知する登録失敗情報送信手段と、前記呼制御サーバに対して前記移動端末のセルラー加入者番号を通知する加入者番号通知手段と、を具備した構成を採る。
【００１５】
これにより、移動端末に対するページングをセルラーネットワーク上に備わった端末管理サーバを用いることにより実現することができる。また、移動端末からの登録失敗情報を受信し、セルラー加入者番号を呼制御サーバに通知することにより、呼制御サーバが移動端末に対して、セルラーネットワークを経由した発呼を行うことができる。
【００１６】
本発明の端末管理サーバは、ページング機能を持つセルラー無線を用いたセルラーネットワーク上に配置され、前記セルラーネットワークにおいて、ページング機能を持たない無線システムを用いた無線ネットワークおよび前記セルラーネットワークを用いた通信を行う移動端末の管理を行う端末管理サーバであって、前記無線ネットワーク上に配置された前記移動端末の位置情報を管理する位置管理サーバから、前記移動端末をページングする要求を受信し、前記セルラーネットワークを用いて前記移動端末をページングするページング処理手段と、前記移動端末が前記無線ネットワークとの無線リンク確立に失敗した場合に前記移動端末が送信する登録失敗情報を受信する登録失敗情報受信手段と、前記登録失敗情報を前記位置管理サーバに通知する登録失敗情報通知手段と、を具備した構成を採る。
【００１７】
これにより、移動端末に対するページングをセルラーネットワーク上に備わった端末管理サーバを用いることにより実現できる。また、無線ネットワーク上の位置管理サーバに無線リンク確立に失敗したことを通知することができる。
【００１８】
本発明の移動端末は、ページング機能を持たない無線システムを用いた無線ネットワークとページング機能を持つセルラー無線を用いたセルラーネットワークの両方の無線インタフェースを備える移動端末であって、前記セルラーネットワーク上において前記移動端末を管理する端末管理サーバから送られてきたページング要求を受信するページング受信手段と、前記ページング要求を受信した際に、前記無線ネットワークと無線チャネルを接続する無線接続手段と、前記無線接続手段が前記無線ネットワークとの無線リンク確立に失敗した場合に登録失敗情報を前記端末管理サーバに送信する登録失敗情報送信手段と、を具備した構成を採る。
【００１９】
これにより、移動端末が無線ネットワークとの無線リンクを確立できない場合には、無線ネットワークへの登録を失敗したことをセルラーネットワーク上の端末管理サーバに通知することができる。
【００２０】
本発明の呼制御サーバは、ページング機能を持たない無線システムを用いた無線ネットワーク上に配置され、前記無線ネットワークおよびセルラー無線を用いたセルラーネットワークを用いた通信を行う移動端末との通信を行う通信開始端末からの発呼要求に対して、前記移動端末とのセッションを確立する呼制御サーバであって、前記移動端末とのセッションを開始するために前記通信開始端末から送られてきた発呼要求に対して、前記移動端末の位置情報を管理する位置情報管理サーバに前記移動端末の位置情報の問合せを行うアドレス解決手段と、前記移動端末から送られてきた前記無線ネットワークとの無線リンク確立に失敗したことを示す登録失敗情報を受信した場合に、前記移動端末のセルラー加入者番号を受信する加入者番号受信手段と、前記セルラー加入者番号に基づき前記セルラーネットワークに対してセッションの開始を要求するセルラー発呼手段と、を具備した構成を採る。
【００２１】
これにより、移動端末が無線ネットワークと無線リンクを確立できない場合でも、セルラーネットワークを利用して発呼することができ、通信を開始することが可能となる。
【００２２】
また、本発明の呼制御サーバは、前記登録失敗情報を受信した場合に、前記通信開始端末に対して、前記移動端末が前記無線ネットワークを使用せず、前記セルラーネットワーク経由の通信を行うことを通知し、その許可を問合せる通信路変更問合せ手段と、前記問合せに対して前記通信開始端末から送られてくる応答を受信する通信路変更応答受信手段と、を具備した構成を採る。
【００２３】
これにより、通信開始端末により要求されたセッションにおいて、広帯域な無線ネットワークによる通信路を用いる代わりに、狭帯域なセルラーネットワークによる通信路を用いることを通信開始端末に通知でき、通信開始端末の選択に応じて通信路変更後の発呼許可を貰うことが可能となる。
【００２４】
本発明の通信開始端末は、ページング機能を持たない無線システムを用いた無線ネットワーク上に配置され、前記無線ネットワークおよびセルラー無線を用いたセルラーネットワークを用いた通信を行う移動端末に対してセッションを開始するために前記移動端末と前記無線ネットワークにおける呼処理を実現する呼制御サーバに発呼する通信開始端末であって、前記呼制御サーバに対して前記移動端末への発呼要求を送信するセッション開始手段と、前記呼制御サーバから送られてきた通信路変更の問合せを受信する通信路変更受信手段と、前記通信路変更の問合せの内容に応じて応答を判断する応答判断手段と、前記応答判断手段の判断の結果を前記呼制御サーバに送信する通信路変更送信手段と、を具備した構成を採る。
【００２５】
これにより、通信開始端末により要求されたセッションが、広帯域な無線ネットワークによる通信路を用いる代わりに、狭帯域なセルラーネットワークによる通信路を用いることを通信開始端末に通知でき、通信開始端末の選択に応じて通信路変更後の発呼許可を与えることが可能となる。
【００２６】
本発明の移動通信システムは、上記の位置管理サーバと、上記の端末管理サーバと、上記の移動端末と、上記の呼制御サーバと、上記の通信開始端末と、を具備したことを特徴とする移動通信システムである。
【００２７】
また、本発明は、ページング機能を持たない無線システムを用いた無線ネットワーク上に配置され、前記無線ネットワークおよびセルラー無線を用いたセルラーネットワークを用いた通信を行う移動端末の位置情報を管理する位置管理サーバにおける前記移動端末の加入者番号通知方法であって、前記セルラーネットワークを用いて前記移動端末をページングする機能を持つ端末管理サーバに対して、前記位置情報を用いて前記移動端末のページングを要求するステップと、前記端末管理サーバから送られてきた前記移動端末が前記無線ネットワークとの無線リンク確立に失敗したことを示す登録失敗情報を受信するステップと、前記移動端末の位置情報を要求している呼制御サーバに対して前記登録失敗情報を通知するステップと、前記呼制御サーバに対して前記移動端末のセルラー加入者番号を通知するステップと、を具備したことを特徴とする加入者番号通知方法である。
【００２８】
また、本発明は、ページング機能を持つセルラー無線を用いたセルラーネットワーク上に配置され、前記セルラーネットワークにおいて、ページング機能を持たない無線システムを用いた無線ネットワークおよび前記セルラーネットワークを用いた通信を行う移動端末の管理を行う端末管理サーバにおける登録失敗通知方法であって、前記無線ネットワーク上に配置された前記移動端末の位置情報を管理する位置管理サーバから、前記移動端末をページングする要求を受信し、前記セルラーネットワークを用いて前記移動端末をページングするステップと、前記移動端末が前記無線ネットワークとの無線リンク確立に失敗した場合に前記移動端末が送信する登録失敗情報を受信するステップと、前記登録失敗情報を前記位置管理サーバに通知するステップと、を具備したことを特徴とする登録失敗通知方法である。
【００２９】
また、本発明は、ページング機能を持たない無線システムを用いた無線ネットワークとページング機能を持つセルラー無線を用いたセルラーネットワークの両方の無線インタフェースを備える移動端末におけるに登録失敗通知方法であって、前記セルラーネットワーク上において前記移動端末を管理する端末管理サーバから送られてきたページング要求を受信するステップと、前記ページング要求を受信した際に、前記無線ネットワークと無線チャネルを接続するステップと、前記無線接続手段が前記無線ネットワークとの無線リンク確立に失敗した場合に登録失敗情報を前記端末管理サーバに送信するステップと、を具備したことを特徴とする登録失敗通知方法である。
【００３０】
また、本発明は、ページング機能を持たない無線システムを用いた無線ネットワーク上に配置され、前記無線ネットワークおよびセルラー無線を用いたセルラーネットワークを用いた通信を行う移動端末との通信を行う通信開始端末からの発呼要求に対して、前記移動端末とのセッションを確立する呼制御サーバにおけるセッション開始要求方法であって、前記移動端末とのセッションを開始するために前記通信開始端末から送られてきた発呼要求に対して、前記移動端末の位置情報を管理する位置情報管理サーバに前記移動端末の位置情報の問合せを行うステップと、前記移動端末から送られてきた前記無線ネットワークとの無線リンク確立に失敗したことを示す登録失敗情報を受信した場合に、前記移動端末のセルラー加入者番号を受信するステップと、前記セルラー加入者番号に基づき前記セルラーネットワークに対してセッションの開始を要求するステップと、を具備したことを特徴とするセッション開始要求方法である。
【００３１】
また、本発明は、ページング機能を持たない無線システムを用いた無線ネットワーク上に配置され、前記無線ネットワークおよびセルラー無線を用いたセルラーネットワークを用いた通信を行う移動端末に対してセッションを開始するために前記移動端末と前記無線ネットワークにおける呼処理を実現する呼制御サーバに発呼する通信開始端末における通信路変更方法であって、前記呼制御サーバに対して前記移動端末への発呼要求を送信するステップと、前記呼制御サーバから送られてきた通信路変更の問合せを受信するステップと、前記通信路変更の問合せの内容に応じて応答を判断するステップと、前記応答判断手段の判断の結果を前記呼制御サーバに送信するステップと、を具備したことを特徴とする通信路変更方法である。
【００３２】
また、本発明は、ページング機能を持たない無線システムを用いた無線ネットワーク上に配置されたコンピュータに、前記無線ネットワークおよびセルラー無線を用いたセルラーネットワークを用いた通信を行う移動端末に対して前記セルラーネットワークを用いてページングする機能を持つ端末管理サーバに対して、前記移動端末の位置情報を用いたページングを要求するステップと、前記端末管理サーバから送られてきた前記移動端末が前記無線ネットワークとの無線リンク確立に失敗したことを示す登録失敗情報を受信するステップと、前記移動端末の位置情報を要求している呼制御サーバに対して前記登録失敗情報を通知するステップと、前記呼制御サーバに対して前記移動端末のセルラー加入者番号を通知するステップと、を行わせることを特徴とするプログラムである。
【００３３】
また、本発明は、ページング機能を持つセルラー無線を用いたセルラーネットワーク上に配置されたコンピュータに、ページング機能を持たない無線システムを用いた無線ネットワーク上に配置された前記移動端末の位置情報を管理する位置管理サーバから、無線ネットワークおよび前記セルラーネットワークを用いた通信を行う移動端末をページングする要求を受信するステップと、前記セルラーネットワークを用いて前記移動端末をページングするステップと、前記移動端末が前記無線ネットワークとの無線リンク確立に失敗した場合に前記移動端末が送信する登録失敗情報を受信するステップと、前記登録失敗情報を前記位置管理サーバに通知するステップと、を行わせることを特徴とするプログラムである。
【００３４】
また、本発明は、ページング機能を持たない無線システムを用いた無線ネットワークとページング機能を持つセルラー無線を用いたセルラーネットワークの両方の無線インタフェースを備える移動端末に設けられたコンピュータに、前記セルラーネットワーク上において前記移動端末を管理する端末管理サーバから送られてきたページング要求を受信するステップと、前記ページング要求を受信した際に、前記無線ネットワークと無線チャネルを接続するステップと、前記無線接続手段が前記無線ネットワークとの無線リンク確立に失敗した場合に登録失敗情報を前記端末管理サーバに送信するステップと、を行わせることを特徴とするプログラムである。
【００３５】
また、本発明は、ページング機能を持たない無線システムを用いた無線ネットワーク上に配置されたコンピュータに、前記無線ネットワークおよびセルラー無線を用いたセルラーネットワークを用いた通信を行う移動端末とのセッションを開始をしようとする通信開始端末から送られてきた発呼要求に対して、前記移動端末の位置情報を管理する位置情報管理サーバに前記移動端末の位置情報の問合せを行うステップと、前記移動端末から送られてきた前記無線ネットワークとの無線リンク確立に失敗したことを示す登録失敗情報を受信した場合に、前記移動端末のセルラー加入者番号を受信するステップと、前記セルラー加入者番号に基づき前記セルラーネットワークに対してセッションの開始を要求するステップと、を行わせることを特徴とするプログラムである。
【００３６】
また、本発明は、ページング機能を持たない無線システムを用いた無線ネットワーク上に配置されたコンピュータに、前記無線ネットワークおよびセルラー無線を用いたセルラーネットワークを用いた通信を行う移動端末と前記無線ネットワークにおける呼処理を実現する呼制御サーバに対して前記無線ネットワークおよびセルラー無線を用いたセルラーネットワークを用いた通信を行う移動端末への発呼要求を送信するステップと、前記呼制御サーバから送られてきた通信路変更の問合せを受信するステップと、前記通信路変更の問合せの内容に応じて応答を判断するステップと、前記応答判断手段の判断の結果を前記呼制御サーバに送信するステップと、を行わせることを特徴とするプログラムである。
【００３７】
また、本発明は、上記プログラムを格納したコンピュータ読み取り可能な記憶媒体である。
【００３８】
【発明の実施の形態】
以下、本発明の実施の形態にかかる移動通信方式を用いた移動通信システムについて添付図面を用いて説明する。
【００３９】
本移動通信システムは、間欠受信機能を備えた無線アクセスシステムであるセルラー無線を含む、複数の無線アクセスを融合したシステムである。また、本実施の形態では、セルラー無線以外の主となる無線アクセスシステムとしてＩＥＥＥ８０２．１１を用いた無線ＬＡＮシステムを例にとり上げて説明する。しかし、必ずしも無線方式を限定するものではなく、ページング機能を持たず、かつ広帯域なインターネットアクセスに用いる無線アクセスシステムであれば、別の無線アクセスシステムであっても良い。
【００４０】
また、本実施の形態は、無線ＬＡＮシステムがＩＰネットワークをベースに構成されており、休止状態にある移動端末に対して、ＩＰ電話などの着信が発生する場合を想定して説明する。
【００４１】
また、本実施の形態では、呼制御方式としてＳＩＰを適用した呼制御サーバを想定して説明する。しかし、Ｈ．３２３など、呼制御サーバを必要とし、通信能力を交換できるＩＰベースの呼制御方式であってもよい。
【００４２】
まず、本実施の形態にかかる移動通信システムの構成について図１を用いて説明する。図１は、本実施の形態にかかる移動通信システムの機能ブロック構成図である。図１では、各装置間相互に情報データを送受信している場合は矢印で示している。
【００４３】
本移動通信システム１０は、セルラー無線によるセルラーネットワーク１００と、ＩＥＥＥ８０２．１１を用いた無線ＬＡＮシステムによる無線ネットワーク（ＩＰネットワーク）１０１と、が融合したシステムになっている。
【００４４】
セルラーネットワーク１００は、セルラー網基地局１６０を介してセルラー無線アクセスによる通信可能な範囲（セル）１６１を有する。
【００４５】
また、無線ネットワーク１０１は、無線ネットワークアクセスポイント１７０を介して、無線ＬＡＮアクセスによる通信可能な範囲１７１を有する。
【００４６】
また、移動通信システム１０は、セルラー無線ネットワークと無線ＬＡＮシステムの両方の無線インタフェースを備え、セルラーネットワーク１００および無線ネットワーク１０１と通信が可能な移動端末１５０を有する。
【００４７】
次に、無線ネットワーク１０１について詳細に説明する。
【００４８】
無線ネットワーク１０１は、移動端末１５０に対して発呼を行う発信元となる通信開始端末１１０を有する。
【００４９】
通信開始端末１１０には、セッション開始部１１１と、通信路変更受信部１１２と、応答判断部１１３と、通信路変更送信部１１４と、が設けられている。
【００５０】
通信開始端末１１０は、移動端末１５０に発呼する際に、セッション開始部１１１を起動し、無線ネットワーク１０１上の呼制御サーバ１２０に対して、相手先のＳＩＰ−ＵＲＩを指定した発呼要求を送信する。
【００５１】
また、通信開始端末１１０は、呼制御サーバ１２０からの通信路変更問合せを受信した際に、通信路変更受信部１１２を起動し、通信路変更の問合せを受信する。そして、応答判断部１１３を起動し、通信路変更を受け入れるかを判断する。応答判断部１１３により判断した結果を通信路変更送信部１１４が呼制御サーバ１２０に通知する。
【００５２】
呼制御サーバ１２０は、無線ネットワーク１０１における呼処理を実現するサーバである。
【００５３】
また、呼制御サーバ１２０は、通信開始端末１１０から相手先のＳＩＰ−ＵＲＩを指定した発呼要求を受信した場合に、アドレス解決部１２１を起動し、無線ネットワーク１０１の位置管理サーバ１３０に移動端末１５０の位置情報であるＩＰアドレスを問合せるアドレス解決要求を送信する。
【００５４】
また、呼制御サーバ１２０は、位置管理サーバ１３０から登録失敗情報が送られてきた際に、登録失敗情報受信部１２２を起動する。
【００５５】
また、加入者番号送受信部１２３は、移動端末１５０のセルラー加入者番号を位置管理サーバ１３０から取得する。
【００５６】
また、呼制御サーバ１２０は、失敗登録情報を受信した際に、通信路変更問合せ部１２４を起動し、通信開始端末１１０に対して通信路変更の問合せを行う。
【００５７】
また、呼制御サーバ１２０は、通信開始端末１１０の通信路変更送信部１１４から送られてくる通信路変更の問合せに対する応答を受信する際、通信路変更応答受信部１２６を起動する。そして、通信路変更の問合せに対する応答の内容が、通信路をセルラーネットワーク１００へ変更することを許可している場合、セルラー発呼部１２５により、移動端末１５０のセルラー加入者番号宛に発呼を行う。
【００５８】
位置管理サーバ１３０は、無線ネットワーク１０１における移動端末１５０の位置情報を管理するサーバである。
【００５９】
位置管理サーバ１３０には、移動端末１５０の位置情報であるＩＰアドレスが登録される。この位置管理サーバ１３０には、無線ネットワーク１０１上で起動している移動端末１５０以外の移動端末のＩＰアドレスも登録されている。
【００６０】
また、位置管理サーバ１３０は、呼制御サーバ１２０から送られてきた、移動端末１５０の位置情報であるＩＰアドレスの解決要求を受信すると、アドレス検索部１３２を起動し、移動端末１５０のＩＰアドレスが登録されているか検索する。そして、移動端末１５０のＩＰアドレスが登録されていない場合は、位置管理サーバ１３０は、ページング要求送信部１３１を起動する。
【００６１】
ページング要求送信部１３１は、移動端末１５０をページングするページング要求をセルラーネットワーク１００における端末管理サーバ１４０に送信する。
【００６２】
また、位置管理サーバ１３０には、移動端末１５０から送られてきた登録失敗情報を受信する登録失敗情報受信部１３３と、その登録失敗情報を呼制御サーバ１２０に通知する登録失敗情報送信部１３４が設けられている。
【００６３】
また、位置管理サーバ１３０には、移動端末１５０のセルラー加入者番号を呼制御サーバ１２０に通知する加入者番号通知部１３５が設けられている。
【００６４】
次に、セルラーネットワーク１００について詳細に説明する。
【００６５】
セルラーネットワーク１００には、端末管理サーバ１４０と、セルラーネットワークＩＰ電話ゲートウェイ１８０と、が設けられている。
【００６６】
端末管理サーバ１４０には、位置管理サーバ１３０のページング要求送信部１３１から送られてきたページング要求を受信するページング処理部１４１が設けられている。ページング処理部１４１は、ページング要求を受信すると、セルラーネットワーク基地局１６０を介して移動端末１５０を起動するページング要求を移動端末１５０に送る。これにより、端末管理サーバ１４０と移動端末１５０との間に呼出し用無線チャネルが接続される。
【００６７】
また、端末管理サーバ１４０には移動端末１５０から送られてきた登録失敗情報を受信する登録失敗情報受信部１４２と、その登録失敗情報を呼制御サーバ１２０に通知する登録失敗情報送信部１４３が設けられている。
【００６８】
セルラーネットワークＩＰ電話ゲートウェイ１８０は、呼制御サーバ１２０とセルラーネットワーク１００内の呼制御サーバ１２０との間で呼接続をすることでセッションが確立されると、通信開始端末１１０と移動端末１５０で通信を行えるようにする。
【００６９】
次に、移動端末１５０について詳細に説明する。
【００７０】
移動端末１５０には、端末管理サーバ１４０から送られてきたページング要求を受信するページング受信部１５１が設けられている。ページング受信部１５１は、ページング要求を受信すると、移動端末１５０に設けられた無線接続部１５２を起動する。
【００７１】
無線接続部１５２は、移動端末１５０の状態を休止状態から活動状態に遷移させ、移動端末１５０と無線ネットワーク１０１との無線チャネルを接続する。
【００７２】
また、移動端末１５０には、登録失敗情報送信部１５３が設けられている。移動端末１５０の無線接続部１５２において、無線ネットワーク１０１と無線リンクを確立できない場合は、登録失敗情報送信部１５３は端末管理サーバ１４０に登録失敗情報を送る。
【００７３】
次に、実施の形態にかかる移動通信システムの基本動作について、図２を用いて具体的に説明する。図２は、移動端末１５０が無線ネットワーク１０１の通信範囲外に存在する場合の実施の形態にかかる移動通信システムの動作シーケンス図である。
【００７４】
まず、無線ネットワーク１０１の通信開始端末１１０のセッション開始部１１１が、移動端末１５０に対して発呼するために、呼制御サーバ１２０に対して、移動端末１５０のＳＩＰ−ＵＲＩを指定した発呼要求を送信する（ステップ２０１）。
【００７５】
次に、呼制御サーバ１２０のアドレス解決部１２１が、この呼接続の接続先となる移動端末１５０のＩＰアドレスを無線ネットワーク１０１内の位置管理サーバ１３０に問合せるため、アドレス解決要求を位置管理サーバ１３０に送信する（ステップ２０２）。
【００７６】
これに対して位置管理サーバ１３０のアドレス検索部１３２は、アドレス解決すべき移動端末１５０のＩＰアドレスが位置管理サーバ１３０に登録されているか自身のアドレスデータベースを検索する（ステップ２０３）。
【００７７】
このとき、アドレス検索部１３２は、アドレス解決要求に記載のＳＩＰ−ＵＲＩに関連付けられているＩＰアドレス、セルラー加入者番号を取得する。
【００７８】
なお、アドレス検索部１３２のアドレスデータベースは、移動端末１５０のＳＩＰ−ＵＲＩとＩＰアドレスとセルラー加入者番号を関連付けて登録している。また、アドレス検索部１３２のアドレスデータベースのＩＰアドレスは、移動端末１５０からのバインディングアップデートにより定期的に更新され、ある一定時間経過してもＩＰアドレスが更新されない場合、そのＩＰアドレスは破棄され、未登録状態となる。また、アドレス検索部１３２のアドレスデータベースには、移動端末１５０のアドレス情報のみに限らず、他の移動端末のアドレス情報も同様に保持される。
【００７９】
このとき、移動端末１５０は休止状態にあるため、無線ネットワーク１０１との接続は失われており、無線ネットワーク１０１内でのＩＰアドレスも不明であり、ＩＰアドレスはアドレス検索部１３２のアドレスデータベースに未登録である。このため、移動端末１５０をページングし、移動端末１５０のＩＰアドレスを取得する必要がある。しかし、位置管理サーバ１３０はページング機能を持たない無線ＬＡＮシステムである無線ネットワーク１０１上にあるため、移動端末１５０をページングすることができない。そこで、実施の形態では間欠受信機能を備えた無線アクセスを適用しているセルラーネットワーク１００を利用して移動端末１５０を起動する。
【００８０】
まず、位置管理サーバ１３０のページング要求送信部１３１が、セルラーネットワーク１００の端末管理サーバ１４０に対して移動端末１５０のページング要求を送信する（ステップ２０４）。
【００８１】
これに対して、端末管理サーバ１４０は、ページング処理部１４１において、位置管理サーバ１３０から送られてきた移動端末１５０のページング要求を受信し、移動端末１５０に対してページングを行う（ステップ２０５）。
【００８２】
移動端末１５０は、ページング受信部１５１においてページング要求を受信する。そして、移動端末１５０の無線接続部１５２は、移動端末１５０の状態を休止状態から活動状態に遷移させ、無線ネットワーク１０１上の無線アクセスポイント１７０と無線チャネルを接続しようとする（ステップ２０６）。
【００８３】
しかし、このとき無線接続部１５２が無線ネットワーク１０１上のいずれの無線ネットワークアクセスポイント１７０とも無線リンクを確立できない場合、無線接続部１５２は、登録失敗情報送信部１５３を起動する。
【００８４】
なお、無線接続部１５２が無線リンクを確立できない理由は、無線ネットワーク１０１を流れるトラヒック量が多く、移動端末１５０が無線資源を取得できない場合や、電波干渉や雑音の影響により電波の受信状態が悪い場合や、移動端末１５０が無線ネットワーク１０１の通信範囲外に存在する場合など考えられる。
【００８５】
移動端末１５０の登録失敗情報送信部１５３は、無線ネットワーク１０１への位置登録に失敗したことを、セルラーネットワーク１００の端末管理サーバ１４０の登録失敗情報受信部１４２へ通知する（ステップ２０７）。
【００８６】
これに対して、端末管理サーバ１４０の登録失敗情報受信部１４２は、登録失敗情報送信部１４３を起動する。端末管理サーバ１４０の登録失敗情報送信部１４３は、移動端末１５０からの登録失敗情報を無線ネットワーク１０１の位置管理サーバ１３０の登録失敗情報受信部１３３へ送信する（ステップ２０８）。
【００８７】
これに対して、位置管理サーバ１３０の登録失敗情報受信部１３３は、登録失敗情報送信部１３４を起動する。
【００８８】
位置管理サーバ１３０の登録失敗情報送信部１３４は、端末管理サーバ１４０からの登録失敗情報を呼制御サーバ１２０の登録失敗情報受信部１２２へ送信する。このとき、位置管理サーバ１３０の加入者番号通知部１３５は、位置管理サーバ１３０が保持している移動端末１５０のセルラー加入者番号を取得し、呼制御サーバ１２０の加入者番号送受信部１２３に送信する。（ステップ２０９）。
【００８９】
このように、移動端末１５０が無線ネットワーク１０１との無線リンクを確立できない場合には、無線ネットワーク１０１への登録を失敗したことを無線ネットワーク１０１の位置管理サーバ１３０に通知することができる。
【００９０】
なお、位置管理サーバ１３０の登録情報失敗送信部１３４または加入者番号通知部１３５が、セルラー加入者番号と登録失敗情報を一つのメッセージにまとめて、呼制御サーバ１２０に送信してもよい。
【００９１】
また、位置管理サーバ１３０は、アドレス検索部１３２が移動端末１５０のＩＰアドレスを検索する際に、アドレスデータベースより取得した移動端末１５０のセルラー加入者番号を保持しておくことにより、加入者番号通知部１３５が移動端末１５０のセルラー加入者番号を再度検索する必要はない。
【００９２】
呼制御サーバ１２０の登録失敗情報受信部１２２と加入者番号送受信部１２３は、登録失敗情報と移動端末１５０のセルラー加入者番号をともに受信した際には、通信路変更問合せ部１２４を起動する。
【００９３】
通信路変更問合せ部１２４は、通信開始端末１１０の通信路変更受信部１１２に対して、移動端末１５０が無線ネットワーク１０１を使用することができないため、無線ネットワーク１０１を通信路とする通信ではなく、セルラーネットワーク１００を通信路とする通信となることを示す、セルラーネットワーク１００への発呼許可を得るための問合せメッセージを送信する（ステップ２１０）。
【００９４】
通信開始端末１１０の通信路変更受信部１１２は、呼制御サーバ１２０からの通信路変更問合せを受信すると、応答判断部１１３を起動する。
【００９５】
応答判断部１１３は、通信路の帯域幅や通信コスト、秘匿性などを考慮することにより、通信路変更の許可を決定する（ステップ２１１）。そして、通信路変更送信部１１４が呼制御サーバ１２０のセルラー発呼部１２５に、通信路変更を許可するか否かの情報を通知する（ステップ２１２）。
【００９６】
このようにして、通信開始端末１１０により要求されたセッションにおいて、広帯域な無線ネットワークによる通信路を用いる代わりに、狭帯域なセルラーネットワークによる通信路を用いることを通信開始端末１１０に通知でき、呼制御サーバ１２０は、通信開始端末１１０の選択に応じて通信路変更後の発呼許可を貰うことが可能となる。
【００９７】
なお、応答判断部１１３が通信路変更の判断の一例として、使用するメディアが音声のみでも十分な場合は、通信路の変更を許可したり、通信コストが高くなるため通信路の変更を許可しないといったことが挙げられる。
【００９８】
また、通信開始端末１１０に、応答判断部１１３が通信路変更の許可を決定する際に、通信開始端末１１０の表示部に問合せ情報を表示し、利用者が許可もしくは不許可を選択できる問合せ表示部を設けることにより、通信路変更許可の判断を通信開始端末１１０の利用者が決定する機能を追加できる。
【００９９】
呼制御サーバ１２０のセルラー発呼部１２５は、通信開始端末１１０からの通信路変更を許可するか否かの情報に基づいた処理を行う。通信開始端末１１０からの情報が通信路変更の拒否を示していれば、通信開始端末１１０の移動端末１５０の発呼要求を取り下げる。一方、通信開始端末１１０からの情報が通信路変更の許可を示していれば、セルラーネットワーク１００のセルラーネットワークＩＰ電話ゲートウェイ１８０に対して、移動端末１５０のセルラー加入者番号を用いて発呼を行う（ステップ２１３）。
【０１００】
その後は、セルラーネットワークＩＰ電話ゲートウェイ１８０を経由して、呼制御サーバ１２０とセルラーネットワーク１００内の呼制御サーバ１２０との間でセッションを確立するための呼接続が行われ、通信開始端末１１０と移動端末１５０が通信を行うことが可能となる。
【０１０１】
通信当初、通信開始端末１１０は、通信路として広帯域の無線ネットワークを使用することを前提とし、移動端末１５０に対して大容量の画像と音声による通信を行おうと発呼していることも考えられる。しかし、移動端末１５０が無線ネットワーク１０１に無線リンクを確立できない際は、広帯域の無線ネットワーク１０１から狭帯域のセルラーネットワーク１００に通信路が変更されるため、大容量の画像と音声による通信は行えない。
【０１０２】
例えば、移動端末１５０が音声しか通信できない場合には、呼制御サーバ１２０とセルラーネットワーク１００内の呼制御サーバとの間の呼接続において、ＳＩＰメッセージに含まれる能力情報を交換することにより、通信開始端末１１０と移動端末１５０との間の通信は、通信開始端末１１０および移動端末１５０ともに使用可能な符号化規則を用いて符合化された音声により行われる。なお、能力情報はＳＤＰなどのプロトコルに則して記述される。
【０１０３】
以上説明したように、本実施の形態によれば、移動端末１５０が無線ネットワーク１０１と無線リンクを確立できない場合でも、呼制御サーバ１２０は、移動端末１５０のセルラー加入者番号を位置管理サーバ１３０から取得することが可能であり、移動端末１５０に対してセルラーネットワーク１００を経由して発呼を行い、通信を行うことができる。
【０１０４】
なお、ステップ２１０からステップ２１２において、通信開始端末１１０が通信経路変更を選択可能とする手順は、あくまで一つの実施の形態であり、図３に示す別の実施の形態のように、これらステップを省略してもよい。図３は、通信開始端末１１０に対して通信路変更の問合せを行う手順を省略した場合の本実施の形態の一例である。この場合は、通信開始端末１１０に設置されている応答判断部１１３を呼制御サーバ１２０に設置することにより実現することが可能である。
【０１０５】
また、移動端末１５０、位置管理サーバ１３０、端末管理サーバ１４０、呼制御サーバ１２０、通信開始端末１１０の各処理部の行う動作をプログラムにし、記憶媒体に格納し、汎用のコンピュータにこのプログラムを実行させる形態であってよい。
【０１０６】
【発明の効果】
以上説明したように、本発明によれば、移動端末が無線ネットワークと無線リンクを確立できない場合でも、移動端末に対してセルラーネットワークを経由した発呼を再び行うことが可能となり、通信を開始することができる。
【０１０７】
さらに、本発明では、広帯域な無線ネットワークによる通信路を用いる代わりに、狭帯域なセルラーネットワークによる通信路を用いることを通信開始端末に通知でき、通信開始端末の選択に応じて通信路変更後の発呼許可を貰うことが可能となる。
【図面の簡単な説明】
【図１】本発明の実施の形態にかかる移動体通信システムの機能ブロック構成図
【図２】上記実施の形態にかかる移動端末システムの動作シーケンス図
【図３】上記実施の形態にかかる通信路変更の問合せを行う手順を省略した場合の移動端末システムの動作シーケンス図
【符号の説明】
１０  移動通信システム
１００  セルラーネットワーク
１０１  無線ネットワーク
１１０  通信開始端末
１２０  呼制御サーバ
１３０  位置管理サーバ
１４０  端末管理サーバ
１５０  移動端末
１６０  セルラー網基地局
１７０  無線ネットワークアクセスポイント
１８０  セルラーネットワークＩＰ電話ゲートウェイ
【図１】
2004253961.tif 000003
【図２】
2004253961.tif 000004
【図３】
2004253961.tif 000005